(57)【要約】【課題】制動装置の故障により制動トルクが低下又は喪失しても、エレベータを運転制御することのできるエレベータの制御装置を得る。【解決手段】乗かご１の走行速度を制御するための電力変換手段１５と、乗かご１を各階床で停止保持させるための制動手段１４と、乗かご１の走行速度または走行移動量を検出する速度または移動量検出手段と、前記走行速度に基づいて、前記乗かごの運転時に前記電力変換手段１５に電力指令を入力すると共に、前記乗かご１の停止時に前記制動手段に制動指令を入力する制御手段１６とを備え、前記制御手段１６は、前記電力指令が断たれかつ前記制動指令が出力されたときに前記走行速度または前記走行移動量が基準値以上の時に前記乗かごの滑りを検出する滑り検出手段２８を有し、前記滑り検出手段２８からの滑り検出信号に基づいて床合せ運転を実施する。【選択図】図３
2005194066.tif 000002
【特許請求の範囲】
【請求項１】
乗かごの走行速度を制御するための電力変換手段と、
前記乗かごを各階床で停止保持させるための制動手段と、
前記乗かごの走行速度または走行移動量を検出する速度または移動量検出手段と、
前記走行速度に基づいて、前記乗かごの運転時に前記電力変換手段に電力指令を入力すると共に、前記乗かごの停止時に前記制動手段に制動指令を入力する制御手段と
を備え、
前記制御手段は、前記電力指令が断たれかつ前記制動指令が出力されたときに前記走行速度または前記走行移動量が基準値以上の時に前記乗かごの滑りを検出する滑り検出手段を有し、前記滑り検出手段からの滑り検出信号に基づいて床合せ運転を実施する
ことを特徴とするエレベータの制御装置。
【請求項２】
請求項１に記載のエレベータの制御装置において、
前記滑り検出手段は、前記電力指令が断たれかつ前記制動指令が出力されたときに前記走行速度または前記走行移動量が基準値以上でかつ所定の設定値以下であるとき第１の滑り検出信号を出力し、基準値以上でかつ所定の設定値以上であるとき第２の滑り検出信号を出力し、
前記制御手段は、前記滑り検出手段からの第１の滑り検出信号に基づいて床合せ運転を実施し、前記第２の滑り検出信号に基づいて前記制動指令を解除しかつ前記電力指令を生成し、前記乗かごを正規運転して終端階床に停止させる
ことを特徴とするエレベータの制御装置。
【請求項３】
請求項１に記載のエレベータの制御装置において、
乗かごの走行速度を制限するためのダイナミックブレーキをさらに備え、
前記制御手段は、前記滑り検出手段による滑り検出時に前記ダイナミックブレーキを動作させる
ことを特徴とするエレベータの制御装置。
【請求項４】
請求項１に記載のエレベータの制御装置において、
前記滑り検出手段は、滑り検出信号の所定時間内の検出回数が所定回数以内であるとき第１の滑り検出信号を出力し、滑り検出信号の検出回数が所定回数を超えたとき第２の滑り検出信号を出力し、
前記制御手段は、前記滑り検出手段からの第１の滑り検出信号に基づいて床合せ運転を実施し、前記第２の滑り検出信号に基づいて前記制動指令を解除しかつ前記電力指令を生成し、前記乗かごを正規運転して終端階床に停止させる
ことを特徴とするエレベータの制御装置。
【請求項５】
請求項２または４に記載のエレベータの制御装置において、
前記制御手段は、前記終端階床として、前記滑り検出手段からの滑り検出信号の滑り方向の終端階床に停止させる
ことを特徴とするエレベータの制御装置。
【請求項６】
請求項５に記載のエレベータの制御装置において、
乗かご内の乗客を検出するかご内乗客検出手段をさらに備え、
前記制御手段は、終端階床に停止させた後、前記かご内乗客検出手段により乗客が降りるまで前記電力変換手段によって静止保持した後、終端階床が最上階であれば電力供給を停止し、最下階であれば最上階まで運転し電力供給を停止する
ことを特徴とするエレベータの制御装置。
【請求項７】
乗かごの走行速度を制御するための電力変換手段と、
前記乗かごを各階床で停止保持させるための制動手段と、
前記乗かごの走行速度または走行移動量を検出する速度または移動量検出手段と、
前記走行速度に基づいて、前記乗かごの運転時に前記電力変換手段に電力指令を入力すると共に、前記乗かごの停止時に前記制動手段に制動指令を入力する制御手段と
を備え、
前記制御手段は、前記電力指令が断たれかつ前記制動指令が出力されたときに前記走行速度または前記走行移動量が基準値以上の時に前記乗かごの滑りを検出する滑り検出手段を有し、前記滑り検出手段から滑り検出信号を出力したときに、前記制動指令を継続して制動したままで前記電力指令を生成し、前記乗かごを運転してブレーキの擦り合せを行う  ことを特徴とするエレベータの制御装置。
【発明の詳細な説明】
【技術分野】
【０００１】
この発明は、乗かご停止時での制動系故障等による異常滑り運動を検出し、その結果をもとにエレベータを運転制御するようにしたエレベータの制御装置に関するものである。
【背景技術】
【０００２】
従来、制御装置の故障により制動トルクが低下または喪失して乗かごの停止保持力が確保できない場合に、乗かごの滑り運動を検出して終端階床に停止させるエレベータの制御装置がある（特許文献１参照）。
【０００３】
【特許文献１】特開平５−１５５５５０号公報
【発明の開示】
【発明が解決しようとする課題】
【０００４】
しかしながら、上述した従来のエレベータの制御装置は、少しでも乗かごの滑り運動が検出されると、終端階に走行させて使用不能になるため、誤動作等によっても使用不能になりやすいという問題点があった。
【０００５】
この発明は上記のような問題点を解決するためになされたもので、制動装置の故障により制動トルクが低下又は喪失しても、エレベータを運転制御することのできるエレベータの制御装置を得ることを目的とする。
【課題を解決するための手段】
【０００６】
この発明に係るエレベータの制御装置は、乗かごの走行速度を制御するための電力変換手段と、前記乗かごを各階床で停止保持させるための制動手段と、前記乗かごの走行速度または走行移動量を検出する速度または移動量検出手段と、前記走行速度に基づいて、前記乗かごの運転時に前記電力変換手段に電力指令を入力すると共に、前記乗かごの停止時に前記制動手段に制動指令を入力する制御手段とを備え、前記制御手段は、前記電力指令が断たれかつ前記制動指令が出力されたときに前記走行速度または前記走行移動量が基準値以上の時に前記乗かごの滑りを検出する滑り検出手段を有し、前記滑り検出手段からの滑り検出信号に基づいて床合せ運転を実施する。
【発明の効果】
【０００７】
この発明によれば、制動装置の故障により制動トルクが低下又は喪失して、乗かごの停止着床時に乗かごが滑り運動をしても、走行速度または前記走行移動量が基準値以上の時に乗かごの滑りを検出して床合せ運転を実施するので、乗かごと乗場の床に段差が発生しないで乗客が降りることの出来るエレベータ装置が得られる。
【発明を実施するための最良の形態】
【０００８】
図１は、この発明が適用されるエレベータの制御装置を示す全体構成図である。図１に示すエレベータの制御装置において、昇降路に沿って走行する乗かご１のドアは、ドア制御装置２により階床３に停止する毎に戸開指令Ｄｏｓ及び戸閉指令Ｄｃｓに応答して開閉する。乗かご１には戸開ゾーン検出器４が設けられ、昇降路に配置されたプレート５に対向する毎に階床検出信号Ｚｓが生成される。乗かご１の荷重は荷重検出器４５により検出される。また、乗かご１の走行速度Ｖは、乗かご１と一体に移動するワイヤ６により回転する速度検出器７により検出される。乗かご１は、昇降路上部に配置された滑車に掛けられたロープ９の一端に支持され、該ロープ９の他端には乗かご１の重量を相殺する釣合重り１０が支持されている。昇降路底部には乗かご１及び釣合重り１０に対向する落下衝撃吸収用バッファ１１及び１２が設けられている。
【０００９】
乗かご１は、モータ１３により滑車９を駆動することにより昇降制御される。モータ１３は、制動手段としての電磁ブレーキ１４により制動して各階床３で停止保持される。この電磁ブレーキ１４は、後述するマイクロコンピュータ１６からの制動指令Ｂｓにより閉成されるｂ接点Ｂ１によって電源供給されて励磁されることで動作する。モータ１３は、マイクロコンピュータ１６からのトルク指令Ｔｓに応答するインバータを含む電力変換装置１５により三相交流電力Ｐｍが供給され、乗かご１の走行速度Ｖが制御される。
【００１０】
装置全体を制御する制御手段としてのマイクロコンピュータ１６は、ＣＰＵ２１と、ＣＰＵ２１の動作プログラム等が格納されるＲＯＭ２２と、ＣＰＵ２１の演算処理中のデータ等を格納するＲＡＭ２３と、階床検出信号Ｚｓ及び走行速度Ｖ等を取り込む入力ポート２４と、各種指令Ｄｏｓ、Ｄｃｓ、Ｔｓ及びＢｓ等を出力する出力ポート２５と、これら構成を結合するバス２６とからなっており、前記速度検出器７により検出される乗かご１の走行速度Ｖと、戸開ゾーン検出器４により検出される階床検出信号Ｚｓ及び制動指令Ｂｓを確認するためのｂ接点Ｂ２の信号が入力され、ドア制御装置２への指令Ｄｏｓ、Ｄｃｓ、電力変換装置１５へのトルク指令Ｔｓ及び電磁ブレーキ１４への指令Ｂｓ等を出力する。
【００１１】
図１に示す構成において、乗かご１の運転中、速度検出器７は、乗かご１と体に移動するワイヤ６により回転されて乗かご１の走行速度Ｖを検出し、これを入力ポート２４を介してマイクロコンピュータ１６に入力する。
【００１２】
マイクロコンピュータ１６は、走行速度Ｖのフィードバック制御に基づいてトルク指令Ｔｓを生成し、電力変換装置１５から三相交流電力Ｐｍを出力させ、モータ１３を駆動する。これにより、モータ１３は、走行速度Ｖが所望の速度指令パターンと一致するように、乗かご１を昇降運転する。
【００１３】
乗かご１が着床すべき目標階床３に向かって走行し、減速しながら目標階床３に到着すると、戸開ゾーン検出器４は、プレート５に対向し、階床検出信号Ｚｓをマイクロコンピュータ１６に入力する。
【００１４】
これにより、マイクロコンピュータ１６は、トルク指令Ｔｓを断つと共に、ブレーキコンタクタ電源オフに基づく制動指令Ｂｓによりｂ接点Ｂ１を閉成し、電磁ブレーキ１４を励起してモータ１３及び乗かご１を停止させる。又、ドア制御装置２に戸開指令Ｄｏｓを出力してドアを開放し、その後、正規戸管理指令に基づいて所定時間が経過するか、又は、客のボタン操作等により乗降動作の終了を検出すると、戸閉指令Ｄｃｓを出力してドアを閉成する。
【００１５】
次に、前述した構成を備えるエレベータの制御装置における各実施の形態に係るマイクロコンピュータ１６の機能を詳細に説明する。
【００１６】
実施の形態１．
図２は、この発明の実施の形態１に係るもので、図１に示すマイクロコンピュータ１６の機能構成を示すブロック図である。図２に示すように、マイクロコンピュータ１６は、前記速度検出器７により検出される乗かご１の走行速度Ｖと、戸開ゾーン検出器４により検出される階床検出信号Ｚｓ及び滑り検出信号Ｓに基づいて電力変換装置１５へのトルク指令Ｔｓ、電磁ブレーキ１４への制動指令Ｂｓ、ドア制御装置２への戸開指令Ｄｏｓ及び戸閉指令Ｄｃｓを生成する運転制御手段２７と、前記速度検出器７により検出される乗かご１の走行速度Ｖと、電力変換装置１５へのトルク指令Ｔｓ、電磁ブレーキ１４への制動指令Ｂｓに基づいて滑り検出信号Ｓを生成する滑り検出手段２８を備えている。
【００１７】
図３は、この発明の実施の形態１に係るもので、マイクロコンピュータ１６のプログラム機能をリレー回路で示すラダーダイヤグラムである。図３に示すラダーダイヤグラムには、滑り速度信号Ｖｒにより閉成されるａ接点ＶＯと、ブレーキコンタクタの消勢に基づく制動指令Ｂｓにより閉成するｂ接点ＢＢと、トルク指令Ｔｓが断たれたときに閉成するｂ接点ＲＥと、Ｔ秒後にオンするオンディレイタイマＴとに直列接続されている滑り検出用のリレーコイル３１を有する。
【００１８】
また、正規戸管制指令Ｎｓにより閉成されるａ接点ＮＣと、滑り検出信号Ｓにより閉成されるａ接点ＳＤとの並列接続体に直列接続された戸閉用のリレーコイル３２と、階床検出信号Ｚｓにより閉成されるａ接点ＤＺと、戸閉指令Ｄｃｓが断たれたときに閉成するｂ接点ＤＣとに直列接続された戸閉用のリレーコイル３３とを有する。
【００１９】
さらに、上昇信号Ｖｕにより閉成されるａ接点ＶＰと、滑り検出信号Ｓにより閉成されるａ接点ＳＤと、かご１の床レベルを乗場床レベルに合わせるために上昇運転させるための床合せ上昇走行指令Ｌｕにより開放するｂ接点Ｌｕ２と、床合せ運転完了時の完了指令Ｅｎｔにより開放するｂ接点Ｅｎｔ１とに直列接続された床合せ下降走行指令用のリレーコイル４１を有する。なお、ａ接点ＶＰとａ接点ＳＤとの直列接続体には、下降運転させるための床合せ下降走行指令Ｌｄにより閉成されるａ接点Ｌｄ１が並列接続されている。
【００２０】
同様に、下降信号Ｖｄにより閉成されるａ接点ＶＭと、滑り検出信号Ｓにより閉成されるａ接点ＳＤと、かご１の床レベルを乗場床レベルに合わせるために下降運転させるための床合せ下降走行指令Ｌｄにより開放するｂ接点Ｌｄ２と、床合せ運転完了時の完了指令Ｅｎｔにより開放するｂ接点Ｅｎｔ１とに直列接続された床合せ上昇走行指令用のリレーコイル４２を有する。なお、ａ接点ＶＭとａ接点ＳＤとの直列接続体には、上昇運転させるための床合せ上昇走行指令Ｌｕにより閉成されるａ接点Ｌｕ１が並列接続されている。
【００２１】
ここで、滑り速度信号Ｖｒは、走行速度Ｖの絶対値が基準速度（例えば、５ｍ／分）以上のときに生成され、正規戸管制指令Ｎｓは、通常のドア開閉制御シーケンス及び操作ボタンに基づいて生成される戸閉指令Ｄｃｓに対応し、上昇信号Ｖｕは、走行速度Ｖが正のときに生成され、下降信号Ｖｄは、走行速度Ｖが負のときに生成される。
【００２２】
以下、図１ないし図３を参照してこの発明の実施の形態１に係る動作について説明する。乗かご１が運転制御手段２７の制御下で走行し、目標の階床３に到着すると、戸開ゾーン検出器４から階床検出信号Ｚｓが生成され、マイクロコンピュータ１６に入力される。これにより、マイクロコンピュータ１６内の運転制御手段２７は、乗かご１が停止時であることを判定し、電力変換装置１５に対するトルク指令Ｔｓを断つと共に電磁ブレーキ１４に制動指令Ｂｓを出力する。
【００２３】
また、滑り検出手段２８は、乗かご１が停止時、即ちトルク指令Ｔｓが断たれかつ制動指令Ｂｓが出力されているときに走行速度Ｖを検出する。このとき、走行速度Ｖがほぼ０であれば、電磁ブレーキ１４が正常に動作していると考えられるので、滑り検出手段２８は滑り検出信号Ｓを生成せず、ａ接点ＳＤを開放（オフ）する。
【００２４】
ここで、戸開状態に移行するために正規戸管制信号Ｎｓによってａ接点ＮＣが開放されると、リレーコイル３２は消勢（オフ）されて戸閉指令Ｄｃｓは断たれ、リレーコイル３３に接続されたａ接点ＤＣが閉成される。このとき、乗かご１は戸開ゾーンにあり、階床検出信号Ｚｓによりａ接点ＤＺが閉成しているので、リレーコイル３３は付勢され、運転制御手段２７から戸開指令Ｄｏｓが生成される。従って、乗かご１のドアが正常に開放され、乗かご１内の乗客及び乗場の待客は、自由に出入りすることができる。
【００２５】
その後、戸閉ボタン操作等に基づく正規戸飾信号Ｎｓによりａ接点ＮＣが閉成されると、再びリレーコイル３２が付勢されて戸閉指令Ｄｃｓが生成され、ドアが閉成された後、乗かご１は次の階床３に向かって走行を開始する。一方、乗かご１の停止時に基準速度以上の走行速度Ｖが検出された場合は、滑り速度信号Ｖｒによりａ接点ＶＯが閉成されるので、リレーコイル３１は、オンディレイタイマＴを介してＴ秒（例えば、４秒）後に付勢される。従って、滑り検出手段２８は、滑り検出信号Ｓを生成して運転制御手段２７に入力し、各リレーコイル３２、４１及び４２に接続されたａ接点ＳＤを閉成する。
【００２６】
これにより、リレーコイル３２は付勢されて戸閉指令Ｄｃｓを生成し、ｂ接点ＤＣを閉成し続ける。従って、リレーコイル３３は消勢され、滑り検出信号Ｓが生成され続ける限り、戸開指令Ｄｏｓが生成されることはない。尚、滑り運動判定用の基準速度及びオンディレイタイマＴによる遅延時間は、急停止直後や乗降客による乗かご１の揺れに起因する滑り誤検出を防止するために設定されている。
【００２７】
また、マイクロコンピュータ１６による各リレーコイル３１〜３３に関する演算処理は、リレーコイル３１から３３の順に、例えば５０ｍ秒周期で繰り返し実行される。もし、電磁ブレーキ１４の故障により制動トルクが低下し、乗かご１を停止保持することができなくなった場合に、（１）電力変換装置１５へのトルク指令Ｔｓが断たれていること、（２）乗かご１が停止状態であってブレーキコンタクタが消勢されていること、（３）乗かご１が基準速度以上で上昇又は下降していること、の全ての条件が検出されれば、戸閉指令Ｄｃｓが生成される。
【００２８】
一方、図３において、リレーコイル４１及び４２は初期状態において消勢されているので、ａ接点Ｌｄ１及びＬｕ１は開放され、ｂ接点Ｌｕ２及びＬｄ２は閉成されている。ここで、電磁ブレーキ１４の故障により滑り検出信号Ｓが発生してａ接点ＳＤが閉成された場合、乗かご１の滑り運動が上昇方向であれば、リレーコイル４１の付勢により床合せ下降走行指令Ｌｄが生成され、下降方向であれば、リレーコイル４２の付勢により床合せ上昇走行指令Ｌｕが生成される。
【００２９】
例えば、乗かご１が上昇方向に滑り運動していれば、上昇信号Ｖｕによりａ接点ＶＰが閉成され、リレーコイル４１が付勢されて床合せ下降走行指令Ｌｄが生成される。従って、運転制御手段２７は、ブレーキコンタクタを付勢して制動指令Ｂｓを断つと共にトルク指令Ｔｓを生成し、通常運転制御に基づいて乗かご１を下降走行させて、床合せ運転を行う。床合せ運転が完了すると、完了指令Ｅｎｔにより開放するｂ接点Ｅｎｔにより、リレーコイル４１が消勢されて床合せ下降走行指令Ｌｄは遮断される。
【００３０】
逆に、乗かご１が下降方向に滑り運動していれば、下降信号Ｖｄによりａ接点ＶＭが閉成されてリレーコイル４２が付勢されるので、床合せ上昇走行指令Ｌｕが生成される。従って、運転制御手段２７は、ブレーキコンタクタを付勢して制動指令Ｂｓを断つと共にトルク指令Ｔｓを生成し、通常運転制御に基づいて乗かご１を上昇走行させて、床合せ運転を行う。床合せ連転が完了すると、完了指令Ｅｎｔにより開放するｂ接点Ｅｎｔにより、リレーコイル４２が消勢されて床合せ下降走行指令Ｌｄは遮断される。
【００３１】
なお、上記実施の形態では、走行速度Ｖが基準速度以上となったときに滑り検出信号Ｓを生成するようにしたが、乗かご１の移動量Ｘを検出する手段を設け、走行速度Ｖの代わりに走行移動量Ｘを滑り判定基準に用いてもよい。
【００３２】
従って、実施の形態１によれば、電力指令が断たれかつ制動指令が出力されたときに走行速度または滑り移動量に基づいて乗かごの滑り運動を検出する滑り検出手段を設け、乗かごの滑り運動に対応して速度または滑り移動量に応じて床合せ運転を実施するようにしたので、乗かごが滑り運動をしても、乗かごと乗場の床に段差が発生しなく、乗客が降りることの出来るエレベータ装置が得られる効果がある。
【００３３】
実施の形態２．
図４は、この発明の実施の形態２に係るもので、図１に示すマイクロコンピュータ１６の機能構成を示すブロック図である。図４に実施の形態２の構成において、図２に示す実施の形態１と同一部分は同一符号を付してその説明は省略する。図４に示す実施の形態２の構成においては、滑り検出手段２８Ａが図２に示す実施の形態１と異なる。滑り検出手段２８Ａは、運転制御手段２７への滑り検出信号として、走行速度Ｖまたは走行移動量Ｘが基準値以上でかつ所定の設定値以下であるとき床合せ運転を実施する第１の滑り検出信号Ｓ１と、基準値以上でかつ所定の設定値以上であるとき終端階に走行させる第２の滑り検出信号Ｓ２を出力するように設定されている。
【００３４】
そして、運転制御手段２７は、滑り検出信号Ｓ１が入力されると、マイクロコンピュータ１６のプログラム機能をリレー回路で示すラダーダイヤグラムとして、図５に示す床合せ運転シーケンスを実行し、滑り検出信号Ｓ２が入力されると、図６に示す終端階走行運転シーケンスに移行し、終端階床に停止させた後、図１に示す荷重検出器４５または赤外線センサ等の乗客検出器により、人が降りるまで電力変換装置１５によって静止保持した後、終端階床が最上階であれば電力供給を停止し、最下階であれば、通常運転制御に基づいて最上階まで運転し、電力供給を停止する。但し、このときは、乗客が乗れないように、ドアは閉じた状態を維持する。また、終端階は、負荷に引かれる方向、つまり滑り検出信号の滑り方向の終端階に停止される。
【００３５】
図５に示す床合せ運転シーケンスにおいては、ａ接点ＶＯ１が基準値以上でかつ所定の設定値以下である第１の滑り速度信号Ｖｒ１により閉成され、滑り検出信号として、リレーコイル（ＳＤ１）３１が第１の滑り検出信号Ｓ１を生成し、これにより、各リレーコイル３２、４１及び４２に接続されたａ接点ＳＤが閉成される他は、図３に示すダイヤグラムと同様に動作して床合せ運転を実施する。
【００３６】
図６に示す終端階走行運転シーケンスにおいては、図３に示すｂ接点Ｅｎｔ１が削除され、図３に示すａ接点Ｌｄ１、ｂ接点Ｌｕ２、リレー４１が、最上階走行指令Ｃｔにより閉成されるａ接点ＴＰ１、最下階走行指令Ｃｂが断たれたときに閉成されるｂ接点ＢＴ２、付勢されることにより最上階走行指令Ｃｔを出力する最上階走行用のリレーコイル（ＴＰ）３４に代わり、同様に、図３に示すｂ接点Ｅｎｔ１が削除され、図３に示すａ接点Ｌｕ１、ｂ接点Ｌｄ２、リレー４２が、最下階走行指令Ｃｂにより閉成されるａ接点ＢＴ１、最上階走行指令Ｃｔが断たれたときに閉成されるｂ接点ＴＰ２、付勢されることにより最下階走行指令Ｃｂを出力する最下階走行用のリレーコイル３５（ＢＴ）に代わり、また、ａ接点ＶＯ２が基準値以上でかつ所定の設定値以上である第２の滑り速度信号Ｖｒ２により閉成され、滑り検出信号として、リレーコイル（ＳＤ２）３１が第２の滑り検出信号Ｓ２を生成し、これにより、各リレーコイル３２、３４及び３５に接続されたａ接点ＳＤが閉成される他は、図３に示すダイヤグラムと同様に動作して終端階走行運転を実施する。
【００３７】
従って、実施の形態２によれば、乗かごの滑り速度または滑り移動量に応じて、乗かごの滑り速度または滑り移動量が基準値以上でかつ所定値以下であれば床合せ運転を実施し、基準値以上でかつ所定値以上であれば制動指令を解除しかつ電力指令を生成し、乗かごを正規運転して終端階床に停止させるようにしたので、乗かごが滑り運動をしても、所定段差以上であれば乗かごと乗場の床に段差が発生しないで乗客が降りることができ、所定値を超えると、段差解消が不可能になるため、終端階にバッファ停止して、乗客を降ろすことが出来るエレベータの制御装置が得られる。
【００３８】
実施の形態３．
図７は、この発明の実施の形態３に係るもので、図１に示すマイクロコンピュータ１６の機能構成を示すブロック図である。図７に実施の形態３の構成において、図２に示す実施の形態１と同一部分は同一符号を付してその説明は省略する。図７に示す実施の形態３の構成においては、電動機１３への入力をスイッチで抵抗を介して（抵抗を介さない場合もあり）短絡するダイナミックブレーキ動作装置４６を備えた点が図２に示す実施の形態１と異なる。滑り検出手段２８は、滑り検出信号Ｓを生成してダイナミックブレーキ動作装置４６へ入力し、滑り検出信号Ｓにより、ダイナミックブレーキ動作装置４６は、スイッチを閉成して電動機１３への入力を短絡して、ダイナミックブレーキを効かせることで、乗かご１の増速を抑制する。
【００３９】
従って、実施の形態３によれば、乗かごの滑り運動を検出したときに、ダイナミックブレーキを動作させるようにしたので、増速を抑え、滑り速度を低い速度に維持することができるエレベータの制御装置が得られる。
【００４０】
実施の形態４．
図８は、この発明の実施の形態４に係るもので、図１に示すマイクロコンピュータ１６の機能構成を示すブロック図である。図８に実施の形態４の構成において、図４に示す実施の形態２と同一部分は同一符号を付してその説明は省略する。図８に示す実施の形態４の構成においては、滑り検出手段２８Ｂが、所定時間内の滑り検出信号の検出回数をカウントする積算カウンタ４３を備え、所定時間内の滑り検出が所定回数以内であれば、滑り検出信号Ｓ１を送出して運転制御手段２７により床合せ運転シーケンスを実行し、所定回数を超えると、滑り検出信号Ｓ２が送出して運転制御手段２７により終端階走行運転シーケンスに移行する点が図４に示す実施の形態２と異なる。
【００４１】
従って、実施の形態４によれば、実施の形態２と同様に、所定時間内の滑り検出が所定回数以内であれば床合せ運転を実施し、所定回数以上であれば制動指令を解除しかつ電力指令を生成し、乗かごを正規運転して終端階床に停止させるようにしたので、乗かごが滑り運動をしても、所定段差以上であれば乗かごと乗場の床に段差が発生しないで乗客が降りることが出来るが、所定値を超えると、段差解消が不可能になるため、終端階にバッファ停止して、乗客を降ろすことが出来るエレベータの制御装置が得られる。
【００４２】
実施の形態５．
図９は、この発明の実施の形態５に係るもので、図１及び図２に示すマイクロコンピュータ１６のプログラム機能をリレー回路で示すラダーダイヤグラムである。図９に示すラダーダイヤグラムには、図３に示す実施の形態１のラダーダイヤグラムと同一部分は同一符号を付してその説明は省略する。図９に示す実施の形態５のラダーダイヤグラムにおいては、図３に示すａ接点Ｌｄ１、ｂ接点Ｌｕ２、リレー４１が、下降運転擦り合せ指令Ｆｄにより閉成されるａ接点Ｆｄ１、上昇運転擦り合せ指令Ｆｕが断たれたときに閉成されるｂ接点Ｆｕ２、付勢されることにより下降運転擦り合せ指令Ｆｄを出力する下降運転擦り合せ用のリレーコイル（Ｆｄ）４７に代わり、同様に、図３に示すａ接点Ｌｕ１、ｂ接点Ｌｄ２、リレー４２が、上昇運転擦り合せ指令Ｆｕにより閉成されるａ接点Ｆｕ１、下降運転擦り合せ指令Ｆｄが断たれたときに閉成されるｂ接点Ｆｄ２、付勢されることにより上昇運転擦り合せ指令Ｆｕを出力する上昇運転擦り合せ用のリレーコイル（Ｆｕ）４８に代わり、リレーコイル（ＳＤ）３１からの滑り検出信号Ｓにより、各リレーコイル３２、４７及び４８に接続されたａ接点ＳＤが閉成される他は、図３に示すダイヤグラムと同様に動作してブレーキの擦り合せ運転を実施する。
【００４３】
次に、実施の形態５に係る動作について説明する。図９において、リレーコイル４７は、制動指令Ｂｓを継続出力し、制動したままで低速で運転する運転指令を出力して、トルク指令Ｔｓを生成し、乗かご１を下降運転してブレーキの擦り合せを行う下降運転擦り合せ指令Ｆｄを生成する。また、リレーコイル４８は、制動指令Ｂｓを継続出力し、制動したままで、低速で運転する運転指令を出力して、トルク指令Ｔｓを生成し、乗かご１を上昇運転してブレーキの擦り合せを行う上昇運転擦り合せ指令Ｆｕを生成する。一方、リレーコイル４７及び４８は、初期状態において消勢されているので、ａ接点Ｆｄ１及びＦｕ１は開放され、ｂ接点Ｆｕ２及びＦｄ２は閉成されている。
【００４４】
ここで、電磁ブレーキ１４の故障により滑り検出信号Ｓが発生し、ａ接点ＳＤが閉成された場合、乗かご１の滑り運動が上昇方向であれば、リレーコイル４７の付勢により下降運転擦り合せ指令Ｆｄが生成され、下降方向であれば、リレーコイル４８の付勢により上昇運転擦り合せ指令Ｆｕが生成される。
【００４５】
例えば、乗かご１が上昇方向に滑り運動していれば、上昇信号Ｖｕによりａ接点ＶＰが閉成され、リレーコイル４７が付勢されて下降運転擦り合せ指令Ｆｄが生成される。従って、運転制御手段２７は、制動指令Ｂｓを継続出力し、制動したままで、低速で運転する運転指令を出力して、トルク指令Ｔｓを生成し、乗かご１を下降運転してブレーキの擦り合せを行う。擦り合せ運転が完了すると、完了指令Ｅｎｔにより開放するｂ接点Ｅｎｔ１により、リレーコイル４７が消勢されて下降運転擦り合せ指令Ｆｄは遮断される。
【００４６】
逆に、乗かご１が下降方向に滑り運動していれば、下降信号Ｖｄによりａ接点ＶＭが閉成されてリレーコイル４８が付勢されるので、上昇運転擦り合せ指令Ｆｕが生成される。従って、運転制御手段２７は、制動指令Ｂｓを継続出力し、制動したままで、低速で運転する運転指令を出力して、トルク指令Ｔｓを生成し、乗かご１を上昇運転してブレーキの擦り合せを行う。擦り合せ運転が完了すると、完了指令Ｅｎｔにより開放するｂ接点Ｅｎｔ１により、リレーコイル４８が消勢されて上昇運転擦り合せ指令Ｆｕは遮断される。
【００４７】
従って、実施の形態５によれば、滑り検出手段が乗かごの滑り連動を検出したときに、制動指令を継続し、制動したままで、電力指令を生成し、乗かごを運転してブレーキの擦り合せを行うようにしたので、ブレーキの制動トルクを回復することが出来るエレベータの制御装置が得られる。
【図面の簡単な説明】
【００４８】
【図１】この発明が適用されるエレベータの制御装置を示す全体構成図である。
【図２】この発明の実施の形態１に係るもので、図１に示すマイクロコンピュータ１６の機能構成を示すブロック図である。
【図３】この発明の実施の形態１に係るもので、マイクロコンピュータ１６のプログラム機能をリレー回路で示すラダーダイヤグラムである。
【図４】この発明の実施の形態２に係るもので、図１に示すマイクロコンピュータ１６の機能構成を示すブロック図である。
【図５】この発明の実施の形態２に係るもので、マイクロコンピュータ１６のプログラム機能をリレー回路で示すラダーダイヤグラムである。
【図６】この発明の実施の形態２に係るもので、マイクロコンピュータ１６のプログラム機能をリレー回路で示すラダーダイヤグラムである。
【図７】この発明の実施の形態３に係るもので、図１に示すマイクロコンピュータ１６の機能構成を示すブロック図である。
【図８】この発明の実施の形態４に係るもので、図１に示すマイクロコンピュータ１６の機能構成を示すブロック図である。
【図９】この発明の実施の形態５に係るもので、マイクロコンピュータ１６のプログラム機能をリレー回路で示すラダーダイヤグラムである。
【符号の説明】
【００４９】
１  乗かご、１４  制動手段としての電磁ブレーキ、１５  電力変換装置、１６  制御手段としてのマイクロコンピュータ、２７  運転制御手段、２８，２８Ａ，２８Ｂ  滑り検出手段、３４  最上階走行用のリレーコイル、３５  最下階走行用のリレーコイル、４１  床合せ下降走行指令用のリレーコイル、４２  床合せ上昇走行指令用のリレーコイル、４６  ダイナミックブレーキ動作装置。
【図１】
2005194066.tif 000003
【図２】
2005194066.tif 000004
【図３】
2005194066.tif 000005
【図４】
2005194066.tif 000006
【図５】
2005194066.tif 000007
【図６】
2005194066.tif 000008
【図７】
2005194066.tif 000009
【図８】
2005194066.tif 000010
【図９】
2005194066.tif 000011